【事件の表示】
　特願２０１０−５３１０７９「１つまたは複数の発光体を有する照明デバイス、およびその製作方法」拒絶査定不服審判事件〔平成２１年　４月３０日国際公開、ＷＯ２００９／０５５０７９、平成２３年　１月　６日国内公表、特表２０１１−５０１４６６〕について、次のとおり審決する。
【結　論】
　本件審判の請求は、成り立たない。
【理　由】
第１　手続の経緯 
　本願は、２００８年１月２２日（パリ条約による優先権主張外国庁受理２００７年１０月２６日、米国）を国際出願日とする出願であって、平成２２年６月２８日に手続補正がなされ、平成２４年６月２８日付けで拒絶の理由が通知され、同年１２月２８日に手続補正がなされたが、平成２５年７月１０日付けで拒絶査定がなされ、これに対して、同年１１月１２日に拒絶査定不服審判が請求されると同時に手続補正がなされ、その後、当審において、平成２６年８月１９日付けで拒絶の理由が通知され、同年１１月１９日に手続補正がなされ、同年１２月１０日付けで拒絶の理由（以下「当審拒絶理由」という。）が通知され、平成２７年６月９日に手続補正がなされ、さらに、同年６月１１日に手続補正がなされたものである。　　　　
　　　  
第２　本願発明  
　本願の請求項に係る発明は、平成２７年６月１１日付けの手続補正により補正された請求項１ないし８に記載された事項により特定されるとおりのものであるところ、その請求項１に係る発明（以下「本願発明」という。）は、次のとおりのものである。  
          
　「光放射源であって、
　複数の固体発光デバイスを含むモノリシックダイであって、複数の固体発光デバイスは少なくとも第１及び第２の固体発光デバイスを含む、モノリシックダイと、
　前記ダイ上の少なくとも第１の発光材料を含むエレメントであって、前記第１の発光材料を含むエレメントは、少なくとも前記第１及び第２の固体発光デバイスを覆い、第２の固体発光デバイスは少なくとも他のいずれの固体発光デバイスと同じくらいに第１の固体発光
デバイス
前記複数の固体発光デバイスのうち
固
前記複数の固体発光デバイスのうち
　前記ダイ上の第２の発光材料を含むエレメントと
を備えることを特徴とする光放射源。」（なお、下線は、請求人が手続補正書において付したものである。）　
　　　　　             　　　             
第３　刊行物の記載　　　　　　　  
（１）当審拒絶理由に引用した、本願の優先日前に頒布された刊行物である特開２００２−３５９４０２号公報（以下「引用文献」という。）には、図とともに以下の記載がある。 
  　       
　ア　「【請求項１】 高抵抗性基層の上に形成された発光デバイスアレイであって、 
　前記基層の第１部分の上に形成された第１ｎ型層と、該第１ｎ型層の上に形成された第１活性領域と、該第１活性領域の上に形成された第１ｐ型層と、前記第１ｎ型層に接続された第１ｎ型コンタクトと、前記第１ｐ型層に接続された第１ｐ型コンタクトと、を備えた第１発光デバイスであって、前記第１ｎ型コンタクトおよび前記第１ｐ型コンタクトが該デバイスの同一面に形成される
第１発光デバイス
　前記基層の第２部分の上に形成された第２ｎ型層と、該第２ｎ型層の上に形成された第２活性領域と、該第２活性領域の上に形成された第２ｐ型層と、前記第２ｎ型層に接続された第２ｎ型コンタクトと、前記第２ｐ型層に接続された第２ｐ型コンタクトと、を備えた第２発光デバイスであって、前記第２ｎ型コンタクトおよび前記第２ｐ型コンタクトが該デバイスの同一面に形成される
第２発光デバイス
　前記第１発光デバイスと前記第２発光デバイスとを分離する、
トレンチ
　前記第１ｎ型コンタクトおよび前記第１ｐ型コンタクトのうちの一方を、前記第２ｎ型コンタクトおよび前記第２ｐ型コンタクトのうちの一方に接続する、
第１内部コネクト
　　 　            　
　イ　「【０００４】 
【発明の実施の形態】可視スペクトル全域での動作が可能である高輝度
発光ダイオード（ＬＥＤ）
III族窒化物材料
 　　 
　ウ　「【０００５】
絶縁性基層または高抵抗性基層を用いれば、個別ＬＥＤ間にトレンチまたはイオン注入領域を形成して個別ＬＥＤを電気的に分離することにより、III族窒化物モノリシックＬＥＤアレイを製作することができる
　　
　エ　「【００１０】一実施形態では、図８Ａおよび図８Ｂに示すように、
４つのＬＥＤの直列アレイは、釣り合いのとれた正方形（balanced square）の配置となるように形成されている
図８Ｂは、正方形アレイにおいて直列接続された４つのＬＥＤの回路図を示す
  　
　オ　上記エで引用する図８Ａ及び図８Ｂは、以下のものである。
　        　
　カ　「【００１８】図１５に示すように、直列または並列いずれかのモノリシックアレイの
ＬＥＤにおける１つ以上の個別ＬＥＤを蛍光体で覆うことにより、ＬＥＤが発する光の色を変化させることができる
ＬＥＤアレイは様々な色の光を同時に生成することができる。このようなアレイは、複数の色を混ぜて白色光を生成するときに有用となりうる
 　 　
　キ　上記カで引用する図１５は、以下のものである。 
 　　　 
（２）引用文献に記載された発明 
　ア　上記（１）アの記載によれば、 
　引用文献には、 
　「高抵抗性基層の上に形成された発光デバイスアレイであって、 
　前記基層の第１部分の上に形成された第１ｎ型層と、該第１ｎ型層の上に形成された第１活性領域と、該第１活性領域の上に形成された第１ｐ型層と、前記第１ｎ型層に接続された
第１ｎ型コンタクト
第１ｐ型コンタクト
第１発光デバイス
　前記基層の第２部分の上に形成された第２ｎ型層と、該第２ｎ型層の上に形成された第２活性領域と、該第２活性領域の上に形成された第２ｐ型層と、前記第２ｎ型層に接続された
第２ｎ型コンタクト
第２ｐ型コンタクト
第２発光デバイス
　前記第１発光デバイスと前記第２発光デバイスとを分離する
トレンチ
　前記第１ｎ型コンタクトを、前記第２ｐ型コンタクトに接続する、
第１内部コネクト
　を具備する、アレイ。」
　が記載されているものと認められる。　 
 　                  　
　イ　上記（１）イ及びウの記載に照らせば、
（ア）上記アの「第１発光デバイス」及び「第２発光デバイス」は、それぞれ、ＬＥＤであってもよいこと、
（イ）上記アの「発光デバイスアレイ」は、III族窒化物モノリシックＬＥＤアレイであってもよいことが理解できる。
　　　　　
　ウ　上記（１）エの記載に照らして、図８Ａ及び図８Ｂを見ると、
　上記アの「発光デバイスアレイ」は、４つのＬＥＤが正方形の配置となるように直列接続されたIII族窒化物モノリシックＬＥＤアレイであってもよいことが理解できる。　
　　　　　
　エ　上記（１）カの記載に照らして、図１５を見ると、 
　上記アの「発光デバイスアレイ」は、
　１つ以上のＬＥＤを蛍光体で覆うことにより、ＬＥＤが発する光の色を変化させ、複数の色を混ぜて白色光を生成するものであってもよいものと認められる。　   　
 　　 
　オ　上記アないしエより、引用文献には、次の発明（以下「引用発明」という。）が記載されているものと認められる。 
 　 
　「高抵抗性基層の上に形成された、４つのＬＥＤが正方形の配置となるように直列接続されたIII族窒化物モノリシックＬＥＤアレイであって、 
　前記基層の第１部分の上に形成された第１ｎ型層と、該第１ｎ型層の上に形成された第１活性領域と、該第１活性領域の上に形成された第１ｐ型層と、前記第１ｎ型層に接続された
第１ｎ型コンタクト
第１ｐ型コンタクト
第１ＬＥＤ
　前記基層の第２部分の上に形成された第２ｎ型層と、該第２ｎ型層の上に形成された第２活性領域と、該第２活性領域の上に形成された第２ｐ型層と、前記第２ｎ型層に接続された
第２ｎ型コンタクト
第２ｐ型コンタクト
第２ＬＥＤ
　前記第１ＬＥＤと前記第２ＬＥＤとを分離する
トレンチ
　前記第１ｎ型コンタクトを、前記第２ｐ型コンタクトに接続する、
第１内部コネクト
　を具備し、
　１つ以上のＬＥＤを蛍光体で覆うことにより、ＬＥＤが発する光の色を変化させ、複数の色を混ぜて白色光を生成する、
　III族窒化物モノリシックＬＥＤアレイ。」　
　　　
第４　対比・判断
１　本願発明と引用発明を対比する。
（１）引用発明の「ＬＥＤ」は、本願発明の「固体発光デバイス」に、相当し、以下同様に、
　「III族窒化物モノリシックＬＥＤアレイ」は「光放射源」に、
　「『１つ以上のＬＥＤを』『覆う』『蛍光体』」は「第１の発光材料を含むエレメント」に、それぞれ、相当する。
　
（２）引用発明の「III族窒化物モノリシックＬＥＤアレイ」は、４つのＬＥＤが正方形の配置となるように直列接続したものであるから、複数のＬＥＤ（固体発光デバイス）を含むものであって、それぞれのＬＥＤを「第１ないし第４のＬＥＤ」（図８Ａにおける、右上のＬＥＤを「第１のＬＥＤ」とし、時計回りに、「第２のＬＥＤ」、「第３のＬＥＤ」、「第４のＬＥＤ」とする。）とするならば、「第１のＬＥＤ」（第１の固体発光デバイス）及び「第２のＬＥＤ」（第２の固体発光デバイス）を含むものであるといえる。
　   　
（３）上記（１）及び（２）より、引用発明と本願発明とは、
　「光放射源であって、
　複数の固体発光デバイスを含むモノリシックダイであって、複数の固体発光デバイスは少なくとも第１及び第２の固体発光デバイスを含む、モノリシックダイを備える」
　点で一致する。
               　
（４）また、引用発明は、１つ以上のＬＥＤを蛍光体で覆うことにより、ＬＥＤが発する光の色を変化させ、複数の色を混ぜて白色光を生成するものであることに照らせば、引用発明と本願発明とは、
　「前記ダイ上の少なくとも第１の発光材料を含むエレメントを備える」
　点で一致する。　
　    　
（５）以上のことから、本願発明と引用発明とは以下の点で一致する。
　＜一致点＞  
　「光放射源であって、
　複数の固体発光デバイスを含むモノリシックダイであって、複数の固体発光デバイスは少なくとも第１及び第２の固体発光デバイスを含む、モノリシックダイと、
　前記ダイ上の少なくとも第１の発光材料を含むエレメントとを備える光放射源。」　
　  　
（６）一方で、本願発明と引用発明とは、以下の点で相違する。  
　＜相違点１＞ 　  
　第１の発光材料を含むエレメントに関し、
　本願発明では、「少なくとも前記第１及び第２の固体発光デバイスを覆い、第２の固体発光デバイスは少なくとも他のいずれの固体発光デバイスと同じくらいに第１の固体発光デバイスに近接しており、前記複数の固体発光デバイスのうち少なくとも１つの固体発光デバイスにより放射された光の第１の部分は、前記第１の発光材料を含むエレメントに向けられ、前記複数の固体発光デバイスのうち少なくとも１つの固体発光デバイスにより放射された光の第２の部分は前記第１の発光材料を含むエレメントに向けられないよう、前記第１の発光材料を含むエレメントは前記モノリシックダイの光放射領域の全体よりも狭い領域を覆う」のに対して、
　引用発明では、蛍光体は、１つ以上のＬＥＤを覆うものではあるものの、どのＬＥＤを、どのように覆っているか不明である点。
  　  　　
　＜相違点２＞
　本願発明は、「前記ダイ上の第２の発光材料を含むエレメント」を備えるのに対して、
　引用発明は、さらに、別の蛍光体によりＬＥＤを覆うものであるか否か不明である点。　
　        　
２　判断
　上記＜相違点１＞及び＜相違点２＞について検討する。  
（１）モノリシックアレイの表面に、発光色の異なる蛍光体層を設け、それらの色を混ぜ合わせることで白色光を生成することのできる発光デバイスアレイが、当審拒絶理由で引用した、国際公開第２００７／０３４３６７号（第７ないし８頁、図１を参照。
　図１は、以下のものである。
）、国際公開第２００６／０６１７２８号（特許請求の範囲、図１を参照。）、特開２００２−３２４９１５号公報（図４を参照。
　図４は、以下のものである。
）及び特開平１０−３２１９０６号公報（【００４３】、図３を参照。）に記載されているように、本願の優先日時点で周知であることに照らせば（以下「周知技術」という。）、 
　例えば、引用発明において、正方形に配置された４つのＬＥＤ（第１ないし第４のＬＥＤ）のうち、３つのＬＥＤ（第１ないし第３のＬＥＤ）を１つの蛍光体により覆い、残りのＬＥＤ（第４のＬＥＤ）を他の蛍光体で覆うようにすることは、当業者が光を混合した際の白色光の色度点等を勘案して適宜なし得たことである。　
　               　
（２）そして、上記（１）のようにした引用発明においては、
　正方形に配置された４つのＬＥＤのうち、「第１ないし第３のＬＥＤ」は同じ蛍光体により覆われ、第２のＬＥＤは、他のＬＥＤ（第３のＬＥＤ）と同じくらいに第１のＬＥＤに近接していることになる。   　
　また、「第４のＬＥＤ」を覆う他の蛍光体は、「ダイ上の第２の発光材料を含むエレメント」に相当する。　
　   　
（３）以上の検討によれば、引用発明において、上記＜相違点１＞及び＜相違点２＞に係る本願発明の発明特定事項を備えることは、当業者が上記周知技術に基づいて容易になし得たことである。
        　　 　
（４）また、本願発明の奏する効果は、当業者が引用発明及び周知技術から予測し得る範囲内のものである。　　 
 　　　
４　むすび  
　以上のとおり、本願発明は、当業者が引用文献に記載された発明及び周知技術に基づいて容易に発明をすることができたものであるから、特許法第２９条第２号の規定により、特許を受けることができない。  
                                      　
　よって、結論のとおり審決する。